(57)【要約】【課題】作成工数が少なく安価にできるとともに、現実的かつ実用的に使用できるロック爪代替用冶具を提供する。【解決手段】ロック爪代替用冶具１は、モジュラプラグのロック爪の基端部に突き当てられてモジュラプラグの上面に固着される固着板部１ａと、ロック爪の基端部とほぼ同じ幅を有し固着板部１ａの先端から斜め上後方に鋭角に折り曲げられた弾性係止板部１ｂと、ロック爪３ｃの先端部とほぼ同じ幅を有し弾性係止板部１ｂからさらに後方に突設された操作板部１ｃとから構成されている。【選択図】図１
2005142127.tif 000002
【特許請求の範囲】
【請求項１】
モジュラプラグのロック爪の基端部に突き当てられてモジュラプラグの上面に固着される固着板部と、
前記ロック爪の基端部とほぼ同じ幅を有し、前記固着板部の先端から斜め上後方に鋭角に折り曲げられた弾性係止板部と、
前記ロック爪の先端部とほぼ同じ幅を有し、前記弾性係止板部からさらに後方に突設された操作板部と
からなることを特徴とするロック爪代替用冶具。
【請求項２】
前記操作板部が、前記弾性係止板部に対して斜めに折り曲げられていることを特徴とする請求項１記載のロック爪代替用冶具。
【請求項３】
前記固着板部の底面にあらかじめ接着剤が塗設されていることを特徴とする請求項１または請求項２記載のロック爪代替用冶具。
【請求項４】
アルミニウム，鉄，ステンレス等の弾性を有する金属板で一体に形成されていることを特徴とする請求項１，請求項２または請求項３記載のロック爪代替用冶具。
【請求項５】
ＬＡＮケーブル用のモジュラプラグに対して使用されることを特徴とする請求項１，請求項２，請求項３または請求項４記載のロック爪代替用冶具。
【請求項６】
前記固着板部が板厚０．６ｍｍ、幅６ｍｍ、長さ１５ｍｍであり、弾性係止板部が板厚０．６ｍｍ、幅６ｍｍ、長さ４ｍｍであり、操作板部が板厚０．６ｍｍ、幅４ｍｍ、長さ１２ｍｍであることを特徴とする請求項５記載のロック爪代替用冶具。
【請求項７】
電話ケーブル用のモジュラプラグに対して使用されることを特徴とする請求項１，請求項２，請求項３または請求項４記載のロック爪代替用冶具。
【発明の詳細な説明】
【技術分野】
【０００１】
本発明はロック爪代替用冶具に関し、特にモジュラプラグのロック爪が折り取られたときに代替として使用するロック爪代替用冶具に関する。
【背景技術】
【０００２】
図７（Ａ）および（Ｂ）に示すように、ＬＡＮケーブルのコネクタ（ＲＪ４５コネクタ），電話ケーブルのコネクタ（ＲＪ１１コネクタ）等のモジュラプラグ３には、プラグ本体３ａの上面先端縁に突設された基端部３ｂから斜め上後方に向けて突出するようにロック爪３ｃが基端部３ｂおよびプラグ本体３ａと一体に成形されている。このロック爪３ｃは、図８に示すようなモジュラジャック４の挿入口４ａにモジュラプラグ３を挿入したときに、ロック爪３ｃ自体の弾性によりプラグ本体３ａ側に向けて一旦湾曲した後に復元してモジュラプラグ３をモジュラジャック４内に係止する役目をする。
【０００３】
しかし、ロック爪３ｃは、プラスチック等で基端部３ｂおよびプラグ本体３ａと一体に成形されているために折れやすく、折れてしまった場合には、モジュラプラグ３をモジュラジャック４に固定することができなくなる。
【０００４】
このため、従来は、ロック爪３ｃが折れてしまった場合には、ケーブルごと購入し直すか、市販のモジュラプラグ３の部品を購入しモジュラプラグ３とケーブル部分とを接続し直す作業を行わなければならないという不具合が生じていた。このため、いわゆる資源を無駄にしてしまったり、費用がかかったり、手間がかかる作業を行ったりしなければならないという問題点があった。
【０００５】
そこで、従来技術の一例として、略コの字型箱状で弾性変形自在な金属材料からなるロック金具が提案されている。このロック金具は、アダプタ本体の上部に可撓性のあるロックレバーおよび下部に折曲げ部を有し、ロック爪が破損欠落したプラグ本体にロック金具を被せるように嵌め、折曲げ部を折り曲げて固着する。ロック金具をアダプタ的に固着したプラグ本体をモジュラジャックに接続することにより、上方に傾斜して突出したロックレバーの係止段部が相手の係止部に係合し、モジュラジャックとの結合状態が維持されて不用意な抜けが防止でき、モジュラプラグを再利用できる（例えば、特許文献１参照）。
【０００６】
また、従来技術の他の例として、ケーブルが中空部を貫通しこのケーブルに沿って摺動自在な筒部材と、一端が筒部材と接続され他端がロック爪の端部と接続された板部材と、ケーブルが中空部を貫通しプラグ本体と筒部材との間に設けられた中空スペーサを設けた修復用モジュラプラグカバーが提案されている。筒部材と板部材とは、一体に成型することにより、ロック爪の板バネ形状をカギ形状とせずに、アーチ形状とすることによって、ひっかかる部分を無くし、ロック爪の折れや引っかかりを防止する（例えば、特許文献２参照）。
【特許文献１】特開２００１−０６８２１３（第３−４頁、図１−２）
【特許文献２】特開２００１−１５５８２１（第２−３頁、図１）
【発明の開示】
【発明が解決しようとする課題】
【０００７】
しかし、上述した従来技術のロック金具や修復用モジュラプラグカバー（以下、ロック爪代替用治具と総称する）では、コスト高になるのを避けられないという問題点があった。その理由は、コの字型に覆いかぶせる状態で、多いかぶせる材質の厚みによりモジュラプラグに接続できなくなることを防ぐため、厚みが薄く、十分な弾力性を持つ材質を選び、ある程度精密な加工を必要とするからである。
【０００８】
また、モジュラプラグの形状の種類も多々あり（奥行きの長さの違い、モジュラプラグとケーブルの接続部分の違い）コの字型に覆いかぶせる金具はプラグの形状ごとに作成する必要があるという問題点があった。
【０００９】
さらに、コの字型の形状にするまで（作成するまで）の工数がかかりすぎるという問題点があった。言い換えれば、工数を金額に換算した場合、モジュラプラグごと取り替えたほうが安価であった。レバー
【００１０】
このように、従来技術のロック爪代替用冶具は、モジュラプラグの折れたロック爪の代替用としては、過大な工数およびコストがかかるものであったが、ロック爪代替用冶具にかかる力は、モジュラプラグの上面に垂直な力が主であり、かならずしも水平方向の力によるずれを考慮する必要はないという点が見過ごされていた。
【００１１】
本発明の目的は、上述の点に鑑み、モジュラプラグの上面に水平方向の力に対する備えを省略することにより、作成工数が少なく安価にできるとともに、現実的かつ実用的に使用できるロック爪代替用冶具を提供することにある。
【課題を解決するための手段】
【００１２】
本発明のロック爪代替用冶具は、モジュラプラグのロック爪の基端部に突き当てられてモジュラプラグの上面に固着される固着板部と、前記ロック爪の基端部とほぼ同じ幅を有し、前記固着板部の先端から斜め上後方に鋭角に折り曲げられた弾性係止板部と、前記ロック爪の先端部とほぼ同じ幅を有し、前記弾性係止板部からさらに後方に突設された操作板部とからなることを特徴とする。
【００１３】
また、本発明のロック爪代替用冶具は、前記操作板部が、前記弾性係止板部に対して斜めに折り曲げられていることを特徴とする。
【００１４】
さらに、本発明のロック爪代替用冶具は、前記固着板部の底面にあらかじめ接着剤が塗設されていることを特徴とする。
【００１５】
さらにまた、本発明のロック爪代替用冶具は、アルミニウム，鉄，ステンレス等の弾性を有する金属板で一体に形成されていることを特徴とする。
【００１６】
また、本発明のロック爪代替用冶具は、ＬＡＮケーブル用のモジュラプラグに対して使用されることを特徴とする。
【００１７】
さらに、本発明のロック爪代替用冶具は、前記固着板部が板厚０．６ｍｍ、幅６ｍｍ、長さ１５ｍｍであり、弾性係止板部が板厚０．６ｍｍ、幅６ｍｍ、長さ４ｍｍであり、操作板部が板厚０．６ｍｍ、幅４ｍｍ、長さ１２ｍｍであることを特徴とする。
【００１８】
さらにまた、本発明のロック爪代替用冶具は、電話ケーブル用のモジュラプラグに対して使用されることを特徴とする。
【００１９】
本発明のロック爪代替用冶具は、モジュラプラグのロック爪が折れてしまった場合において、モジュラプラグの基端部（ロック爪の折り取られた面）に鋭角に曲げてある部分を突き当て両面接着テープ，接着剤等の固着手段で固着することにより、モジュラプラグにロック爪のあった元の状態と同じようにモジュラプラグを使用できるようにするものである。
【発明の効果】
【００２０】
本発明のロック爪代替用冶具によれば、モジュラプラグのロック爪の基端部に突き当てられてモジュラプラグの上面に固着される固定機能を有する固着板部と、ロック爪の基端部とほぼ同じ幅を有し固着板部の先端から斜め上後方に鋭角に折り曲げられモジュラジャックの挿入口に引っ掛かる機能を有する弾性係止板部と、ロック爪の先端部とほぼ同じ幅を有し弾性係止板部からさらに後方に突設され弾性係止板部を操作する機能を有する操作板部とからなるので、モジュラプラグのロック爪の折り取られた側の上面に両面接着テープ，接着剤等の固着手段で固着することにより、失われたロック爪と同等の機能を果たすことができる。
【００２１】
特に、モジュラプラグに対して覆い被せるものでないので、奥行きの長さや幅を厳密に考える必要がなく、多様な形状のモジュラプラグに対して使用することができ、汎用性が高いとい利点がある。
【発明を実施するための最良の形態】
【００２２】
以下、本発明の実施例について図面を参照して詳細に説明する。
【実施例１】
【００２３】
図１（Ａ）および（Ｂ）は、本発明の実施例１に係るロック爪代替用冶具１を示す側面図および平面図である。本実施例１に係るロック爪代替用冶具１は、モジュラプラグ３のロック爪３ｃが折り取られた基端部３ｂ（図３（Ａ）および（Ｂ）参照）に突き当てられてプラグ本体３ａ（図３（Ａ）および（Ｂ）参照）の上面に固着される固着板部１ａと、ロック爪３ｃの基端部３ｂとほぼ同じ幅を有し固着板部１ａの先端から斜め上後方に鋭角に折り曲げられた弾性係止板部１ｂと、ロック爪３ｃの先端部とほぼ同じ幅を有し弾性係止板部１ｂからさらに後方に突設された操作板部１ｃとから構成されている。
【００２４】
ロック爪代替用冶具１の固着板部１ａ，弾性係止板部１ｂ，および操作板部１ｃは、一体に形成されている。材料は板厚の薄い金属が好ましい。より詳細には、アルミニウム，鉄，ステンレス等を使用し、板厚は０．６ｍｍが好ましい。弾力がとれるのであれば、板厚は０．２ｍｍ〜０．８ｍｍでも差し支えない。
【００２５】
図２（Ａ）および（Ｂ）は、ＬＡＮケーブルで使われているモジュラプラグ３に適用されて好適なロック爪代替用冶具１の実測値の一例を表す図である。ここでは、固着板部１ａが板厚０．６ｍｍ、幅６ｍｍ、長さ１５ｍｍであり、弾性係止板部１ｂが板厚０．６ｍｍ、幅６ｍｍ、長さ５ｍｍであり、操作板部１ｃが板厚０．６ｍｍ、幅４ｍｍ、長さ１２ｍｍである例が示されている。また、弾性係止板部１ｂが固着板部１ａに対して４５度をなすように折り曲げられている。操作板部１ｃは、弾性係止板部１ｂに対してさらに折り曲げられている。ただし、図２（Ａ）および（Ｂ）に示す各値はあくまでも一例であり、本発明がこれらの値に限定されるものでないことはいうまでもない。
【００２６】
なお、ロック爪代替用冶具１を金属板から制作する工法については当業者にとってよく知られており、また本発明とは直接関係しないので、その詳細な説明を省略する。
【００２７】
次に、このように構成された実施例１に係るロック爪代替用冶具１の使用方法について説明する。
【００２８】
まず、図４に示すように、ロック爪代替用冶具１とロック爪１ｃが折り取られたモジュラプラグ３とを準備し、ロック爪代替用冶具１を両面接着テープ，接着剤等の固着手段５により固着板部１ａでプラグ本体３ａの上面に固着する。このとき、図５（Ａ）および（Ｂ）に示すように、固着板部１ａの先端部を基端部３ｂに突き当てるようにして固着する。
【００２９】
すると、ロック爪１ｃが折り取られたモジュラプラグ３は、固着されたロック爪代替用冶具１により、バネ機能および係止機能が回復する。
【００３０】
このため、ロック爪代替用冶具１を固着したプラグ本体３ａを、モジュラジャック４の挿入口４ａ（図８参照）に挿入すると、図６に示すように、弾性係止板部１ｂがモジュラジャック４の係止部４ｂで一旦深く折り曲げられた後に若干復元して係止部４ｂに係合し、プラグ本体３ａがモジュラジャック４から抜け止めされるようにロックされる。このとき、ロック爪代替用冶具１にかかる力は、プラグ本体３ａの上面に垂直な力が主であり、プラグ本体３ａの上面に水平方向の力はほとんどかからないので、ロック爪代替用冶具１とプラグ本体３ａとの水平方向のずれを心配する必要はない。
【００３１】
図６に示すモジュラジャック４に対するプラグ本体３ａの挿入状態からプラグ本体３ａを取り出すには、操作板部１ｃを下に押し下げて弾性係止板部１ｂを係止部４ｂとの係合位置から外し、プラグ本体３ａを引き出せばよい。
【００３２】
以上説明したように、本実施例１によれば、ロック爪１ｃが折り取られたモジュラプラグ３に対してロック爪代替用冶具１を固着するだけで、バネ機能および係止機能が回復し、ロック爪３ｃが折り取られていないモジュラプラグ３と同等の機能を果たすことができるという効果がある。
【００３３】
なお、本実施例１では、ロック爪代替用冶具１を両面接着テープ，接着剤等の固着手段５により固着板部１ａでプラグ本体３ａの上面に固着するように説明したが、あらかじめ固着板部１ａの下面に両面接着テープ，接着剤等の固着手段５を貼着あるいは塗布した状態でロック爪代替用冶具１を市販するようにしてもよい。
【実施例２】
【００３４】
本発明の実施例２として、その基本的構成は、実施例１と同様であるが、構造の寸法および角度を変えることにより、電話ケーブルで使われているモジュラプラグ（ＲＪ１１コネクタ）にも、本発明を同様に適用して同等の機能を与えることができることはいうまでもない。
【図面の簡単な説明】
【００３５】
【図１】（Ａ）および（Ｂ）は、本発明の実施例１に係るロック爪代替用冶具を示す側面図および平面図である。
【図２】（Ａ）および（Ｂ）は、ＬＡＮケーブルで使われているモジュラプラグに適用されて好適なロック爪代替用冶具の実測値の一例を表す図である。
【図３】（Ａ）および（Ｂ）は、ロック爪が折り取られたモジュラプラグを示す側面図および平面図である。
【図４】実施例１に係るロック爪代替用冶具をロック爪が折り取られたモジュラプラグに取り付ける態様を示す斜視図である。
【図５】（Ａ）および（Ｂ）は、図３のロック爪が折り取られたモジュラプラグに、実施例１に係るロック爪代替用冶具を固着した状態を示す側面図および平面図である。
【図６】実施例１に係るロック爪代替用冶具およびプラグ本体がモジュラジャックに挿入された状態を示す断面図である。
【図７】（Ａ）および（Ｂ）は、ロック爪が折り取られる前のモジュラプラグを示す側面図および平面図である。
【図８】モジュラジャックを示す正面図である。
【符号の説明】
【００３６】
１  ロック爪代替用冶具
１ａ  固着板部
１ｂ  弾性係止板部
１ｃ  操作板部
３  モジュラプラグ
３ａ  プラグ本体
３ｂ  基端部
３ｃ  ロック爪
４  モジュラジャック
４ａ  挿入口
４ｂ  係止部
５  固着手段
【図１】
2005142127.tif 000003
【図２】
2005142127.tif 000004
【図３】
2005142127.tif 000005
【図４】
2005142127.tif 000006
【図５】
2005142127.tif 000007
【図６】
2005142127.tif 000008
【図７】
2005142127.tif 000009
【図８】
2005142127.tif 000010